(57)【要約】      （修正有）【課題】毛穴の中の皮脂を十分に取り除くことができ、洗髪効果が高い洗髪用ブラシを提供する。【解決手段】基台２０を有する洗髪用ブラシ１０である。洗髪用ブラシ１０は、複数本の合成繊維フィラメントを束ねた毛束３０を、複数、基台２０の植毛面２０ａに植毛し、先端が曲面形状でエラストマー樹脂からなる突起４０を、複数、植毛面２０ａに立設配置するとともに、毛束３０の位置を、複数の突起４０のそれぞれを取り囲む位置とし、毛束３０の背丈を、突起４０の背丈よりも高くした構成である。【選択図】図１
0003182108.tif 000002
【実用新案登録請求の範囲】
【請求項１】
基台を有する洗髪用ブラシにおいて、
複数本の合成繊維フィラメントを束ねた毛束を、複数、前記基台の植毛面に植毛し、
先端が曲面形状でエラストマー樹脂からなる突起を、複数、前記植毛面に立設配置するとともに、
前記毛束の位置を、前記複数の突起の内の、前記植毛面の少なくとも中央付近に配置された各突起を取り囲む位置とし、
前記毛束の背丈を、前記中央付近に配置された各突起の背丈よりも高くした、洗髪用ブラシ。
【請求項２】
請求項１に記載の洗髪用ブラシであって、
前記複数の毛束は、多行多列に亘って互いに間隔を空けて格子状に配置され、
前記中央付近に配置された各突起は、前記格子の各セルの中心に配置される、洗髪用ブラシ。
【請求項３】
請求項１に記載の洗髪用ブラシであって、
前記複数の毛束は、複数の円環状に配置され、
前記中央付近に配置された各突起は、前記各円環の中心に配置される、洗髪用ブラシ。
【請求項４】
請求項１から請求項３までのいずれか一項に記載の洗髪用ブラシであって、
前記毛束の数は、前記突起の数の３倍以上である、洗髪用ブラシ。
【請求項５】
請求項１から請求項４までのいずれか一項に記載の洗髪用ブラシであって、
前記突起は、横断面形状が円形である、洗髪用ブラシ。
【請求項６】
請求項１から請求項５までのいずれか一項に記載の洗髪用ブラシであって、
前記植毛面の外周回りに配置された前記突起の背丈を、前記毛束の背丈よりも高くした、洗髪用ブラシ。
【請求項７】
基台を有する洗髪用ブラシであって、
複数本の合成繊維フィラメントを束ねた毛束を、複数、前記基台の植毛面に植毛し、
先端が曲面形状でエラストマー樹脂からなる突起を、複数、前記植毛面に立設配置するとともに、
前記植毛面の中央付近に配置された５つ以上の突起のそれぞれを、前記植毛面におけるいずれの方向にも前記毛束が存在するように配置し、
前記毛束の背丈を、前記中央付近に配置された５つ以上の突起のそれぞれの背丈よりも高くした、洗髪用ブラシ。
【考案の詳細な説明】
【技術分野】
【０００１】
本考案は、洗髪用ブラシに関する。
【背景技術】
【０００２】
洗髪時に使用するヘアーブラシとしては種々のものが知られており、例えば、ブラシを構成する刷毛状の突起の先端に球状体を設けたものや、略円錐形の突起を有するもの等がある（特許文献１参照）。また、頭皮を掻く機能や、毛髪を掻く機能の他に、汚れや臭いの原因となる皮脂を除去する機能に優れるヘアーブラシも開発されている（例えば、特許文献２、３参照）。後者のヘアーブラシは、太径の突起を備えるもので、この突起を頭皮および毛根に押しつけるようにして使用することで、毛穴から皮脂を押し出すことを可能としている。
【先行技術文献】
【特許文献】
【０００３】
【特許文献１】実開昭５４−８７２７２号公報
【特許文献２】特開２００２−７８７６１号公報
【特許文献３】特開２０００−６０６４０号公報
【考案の概要】
【考案が解決しようとする課題】
【０００４】
しかしながら、従来の洗髪用ブラシでは、毛穴の中の皮脂を十分に取り除くことができず、洗髪効果が低いという課題があった。この他にも、髪を梳くに当たり解きがよくないという課題があった。また、優れたマッサージ効果が得られないという課題があった。
【課題を解決するための手段】
【０００５】
本考案は、上述の課題の少なくとも一部を解決するためになされたものであり、以下の形態として実現することが可能である。
【０００６】
（１）本考案の一形態によれば、基台を有する洗髪用ブラシが提供される。この洗髪用ブラシは、複数本の合成繊維フィラメントを束ねた毛束を、複数、前記基台の植毛面に植毛し、先端が曲面形状でエラストマー樹脂からなる突起を、複数、前記植毛面に立設配置するとともに、前記毛束の位置を、前記複数の突起の内の、前記植毛面の少なくとも中央付近に配置された各突起を取り囲む位置とし、前記毛束の背丈を、前記中央付近に配置された各突起の背丈よりも高くした。
【０００７】
この形態の洗髪用ブラシによれば、先端が曲面形状で、エラストマー樹脂からなる突起が、頭皮および毛根に押しつけられることで、毛穴の中から皮脂を押し出す機能を発揮し、複数本の合成繊維フィラメントを束ねた毛束が、前記押し出された皮脂を取り除くとともに毛穴の中から皮脂を掻き出す機能を発揮する。特に、植毛面の少なくとも中央付近では、突起の背丈よりも毛束の背丈が高いことから、より効果的に毛穴の中から皮質を掻き出す機能を発揮する。その上、前記毛束の位置を、前記中央付近に配置された各突起を取り囲む位置としたことから、この少なくとも中央付近では、使用の際の洗髪用ブラシの移動方向による差がなく常に、上記の突起による皮脂の押し出し機能と、毛束による皮脂の取り除きおよび掻き出し機能とを相乗して発揮させることができる。したがって、毛穴の中の皮脂を十分に取り除くことができ、優れた洗髪効果を奏する。
【０００８】
（２）上記形態の洗髪用ブラシにおいて、前記複数の毛束は、多行多列に亘って互いに間隔を空けて格子状に配置され、前記中央付近に配置された各突起は、前記格子の各セルの中心に配置される構成としてもよい。この形態によれば、前記各突起は毛束に確実に取り囲まれることになり、より優れた洗髪効果を奏する。
【０００９】
（３）上記形態の洗髪用ブラシにおいて、前記複数の毛束は、複数の円環状に配置され、前記中央付近に配置された各突起は、前記各円環の中心に配置される構成としてもよい。この形態によれば、前記各突起は毛束に確実に取り囲まれることになり、より優れた洗髪効果を奏する。
【００１０】
（４）上記形態の洗髪用ブラシにおいて、前記毛束の数は、前記突起の数の３倍以上である構成としてもよい。この形態によれば、毛束による前述した機能が確実に発揮されることになり、より優れた洗髪効果を奏する。
【００１１】
（５）上記形態の洗髪用ブラシにおいて、前記突起は、横断面形状が円形である構成としてもよい。この形態によれば、突起を頭皮に強く押しつけた際に、頭皮に痛感が発生することを緩和することができる。
【００１２】
（６）上記形態の洗髪用ブラシにおいて、前記植毛面の外周回りに配置された前記突起の背丈を、前記毛束の背丈よりも高くした構成としてもよい。この形態によれば、背の高い突起が植毛面の外周回りに、背の低い突起が植毛面の少なくとも中央付近に配置されることから、各突起の先端を繋ぐラインは、頭の湾曲した形状にあったものとなる。したがって、より優れた洗髪効果を奏する。また、背の高い突起が植毛面の外周回りにあることから、使用の際に、毛束が外側にはみ出すことを抑えるこができる。したがって、使用の際の見栄えが損なわれることもない。
【００１３】
（７）本考案の他の形態によれば、基台を有する洗髪用ブラシが提供される。この洗髪用ブラシは、複基台を有する洗髪用ブラシにおいて、複数本の合成繊維フィラメントを束ねた毛束を、複数、前記基台の植毛面に植毛し、先端が曲面形状でエラストマー樹脂からなる突起を、複数、前記植毛面に立設配置するとともに、前記植毛面の中央付近に配置された５つ以上の突起のそれぞれを、前記植毛面におけるいずれの方向にも前記毛束が存在するように配置し、前記中央付近に配置された５つ以上の突起のそれぞれの背丈を、前記突起の背丈よりも高くした。
【００１４】
この形態の洗髪用ブラシによれば、先端が曲面形状で、エラストマー樹脂からなる突起が、頭皮および毛根に押しつけられることで、毛穴の中から皮脂を押し出す機能を発揮し、複数本の合成繊維フィラメントを束ねた毛束が、前記押し出された皮脂を取り除くとともに毛穴の中から皮脂を掻き出す機能を発揮する。特に、植毛面の少なくとも中央付近に配置された５つ以上の突起のそれぞれの背丈よりも、毛束の背丈が高いことから、この中央付近では、より効果的に毛穴の中から皮質を掻き出す機能を発揮する。その上、前記中央付近に配置された５つ以上の突起のそれぞれを、植毛面におけるいずれの方向にも毛束が存在するように配置したことから、この中央付近では、使用の際の洗髪用ブラシの移動方向による差がなく常に、上記の突起による皮脂の押し出し機能と、毛束による皮脂の取り除きおよび掻き出し機能とを相乗して発揮させることができる。したがって、毛穴の中の皮脂を十分に取り除くことができ、優れた洗髪効果を奏する。
【図面の簡単な説明】
【００１５】
【図１】本考案の第１実施形態にかかる洗髪用ブラシの斜視図である。
【図２】洗髪用ブラシの底面図である。
【図３】洗髪用ブラシの正面図である。
【図４】洗髪用ブラシの縦断面図である。
【図５】フィラメントの元となるフィラメント材を示す説明図である。
【図６】本考案の第２実施形態にかかる洗髪用ブラシの底面図である。
【図７】本考案の第３実施形態にかかる洗髪用ブラシの底面図である。
【図８】第３実施形態における２種類の突起と毛束の背丈を比較する説明図である。
【考案を実施するための形態】
【００１６】
本考案の実施形態を次に説明する。
【００１７】
Ａ．第１実施形態：
図１は本考案の第１実施形態にかかる洗髪用ブラシの斜視図であり、図２は洗髪用ブラシの底面図であり、図３は洗髪用ブラシの正面図であり、図４は洗髪用ブラシの縦断面図である。図１ないし図４に示すように、洗髪用ブラシ１０は、把持部２１を有する基台２０の植毛面２０ａに、毛束３０と突起４０をそれぞれ複数、立設することによって構成される。立設とは、立った状態に設けることをいう。
【００１８】
洗髪用ブラシ１０は、例えば洗髪や毛髪の手入れを行う際に、縦断面がＴ字型の把持部２１を指の間に挟み込み、植毛面２０ａとは反対側の基台２０の上面２０ｂに手の平を密着させて、上面２０ｂを覆うようにしながら洗髪用ブラシ１０を把持し、毛束３０の先端および突起４０の先端を頭皮に押し当てた状態で、毛髪を掻き分けるようにしつつ洗髪用ブラシ１０を動かすことにより、脂の除去や毛穴の洗浄を効率良く行えるようにするものである。なお、この洗髪や毛髪の手入れの際に、必要に応じて、頭皮や毛髪に塗布する洗浄剤、ヘアケア剤、あるいは化粧料等を用いてもよい。
【００１９】
基台２０は、ポリエチレン、ポリプロピレン等からなるプラスチック製の成形品であって、基台本体２２と基板２４とからなる。基台本体２２は、図１、図２に示すように、底面が楕円形状の装着開口２２ａとして開口し、図３、図４に示すように上面２０ｂが滑らかな湾曲凸面となった、平面視楕円形状である。基板２４は、基台本体２２の装着開口２２ａを閉塞するように嵌め込み固定される平板である。基板２４の表面が、前述した植毛面２０ａとなり、毛束３０と突起４０を立設するための複数の孔部が設けられている。基台２０の大きさは、長軸の長さが９５ｍｍ程度、短軸の長さが６５ｍｍ程度であり、手で持ち易い大きさとなっている。なお、基台２０の大きさは、上記の長さに限られることはなく、手で持ち易い大きさならいずれの大きさに替えることもできる。
【００２０】
毛束３０は、１２０本程度の本数のフィラメントを束ねたもので、基台２０の基板２４に設けられた孔部に植毛されている。フィラメントの本数は、２０〜２００本の範囲で、適宜変更可能である。フィラメントは、合成繊維フィラメントであり、本実施形態では、飽和ポリエステルを材料としている。なお、飽和ポリエステルに替えて、ナイロン、プラスチック、豚毛等の獣毛等を材料としてもよい。フィラメントの直径は０．１３〜０．１７ｍｍである。フィラメントの直径は、この長さに限らず、適宜変更可能である。
【００２１】
図５は、フィラメントの元となるフィラメント材を示す説明図である。図５（ａ）にはフィラメント材ＦＬの平面図を示し、図５（ｂ）には１本のフィラメント材ＦＬから２本のフィラメント３２が得られる様子を示した。図５（ａ）に示すように、フィラメント材ＦＬは、細い糸状であり、一方の端部ＦＬａが斜めに切り落とされている。図５（ｂ）に示すように、このフィラメント材ＦＬを長手方向の真ん中付近で折ることで、２本のフィラメント３２が得られる。この折る位置は、フィラメント材ＦＬの長手方向の真ん中より少し、切り落とされていない側の端部ＦＬｂ側となっている。これにより、図５（ｂ）に示すように、フィラメント３２は、先端が斜めに切り落とされたもの（３２ａ）と、これより背丈の低い先端は切り落とされていないもの（３２ｂ）との２種類が得られる。
【００２２】
図１〜図４に戻って、実際は、フィラメント材を複数束ねて、その束ねた複数のフィラメント材を折ることで毛束３０が形成されており、この結果、毛束３０は、背丈がいろいろで、その先端も斜めに切り落とされたものと斜めに切り落とされていないものとが混在するというように、多種のフィラメントの集まりとして形成することができる。毛束３０の折られた部分を孔部に差し込むことによって毛束３０は植毛される。詳しくは、毛束３０の折られた部分の内側部分には、金属片（図示せず）が挟み込まれており、その折られた部分と金属片を孔部に差し込むことで、毛束３０は確実に孔部に固着される。植毛後のフィラメント３２の背丈（高さ）は、９．８ｍｍから１１．８ｍｍである。すなわち、最も短いフィラメント３２が９．８ｍｍであり、最も長いフィラメント３２が１１．８ｍｍである。各フィラメント３２の背丈を平均した平均背丈は、１０．８ｍｍとなっている。ここでは、毛束３０の背丈は、この平均背丈と定める。フィラメントの背丈および毛束の背丈は、この長さに限らず、適宜変更可能である。なお、本実施形態では、毛束の背丈はフィラメントの平均背丈としているが、これに換えて、最も長いフィラメントの背丈を毛束の背丈と定めるようにしてもよい。
【００２３】
突起４０は、シリコン樹脂を材料としている。材料は、エラストマー樹脂であれば、いずれでもよく、例えば、熱可塑性エラストマー（ＴＰＥ）に替えることもできる。突起４０は、図１に示すように、円錐台形状の柱部４０ａと、曲面形状（ドーム形状）の先端部４０ｂとを備える。柱部４０ａは、横断面が円形で、根本部分の直径が３０ｍｍであり、先部分の直径が２５ｍｍである。各突起４０は、図４に示すように、エラストマー成形体５０の底盤部５２から突出して一体成形されている。すなわち、エラストマー成形体５０は底盤部５２と突起４０とからなり、このエラストマー成形体５０を基板２４の裏面に配設することで、各突起４０は基板２４の孔部から突出する。突出した突起４０の背丈（高さ）は、９、５ｍｍであり、毛束３０の背丈（＝１０．８ｍｍ）よりも低い。すなわち、図４に示すように、毛束３０の背丈Ｈ１は、突起４０の背丈Ｈ２より高くなっている。また、毛束３０のフィラメント３２の撓み易さは、突起４０の撓み易さより高くなっている。
【００２４】
なお、突起４０の太さ（根本部分の直径、先部分の直径）は、上記の長さに限る必要はなく、２０〜４０ｍｍの範囲で、適宜変更可能である。また、突起４０の背丈Ｈ２は、毛束３０の背丈Ｈ１よりも低くなる範囲で、適宜変更可能である。
【００２５】
次に、毛束３０と突起４０の配列位置について説明する。図２の底面図に示すように、毛束３０は、行方向としてのＸ方向に直線的に間隔を空けて配列されるとともに、列方向としてのＹ方向に直線的に間隔を空けて配列され、この結果、多行多列に亘って互いに間隔を空けて格子状に配置される。なお、Ｘ方向とＹ方向のなす角θは鋭角となっており、図２の仮想線Ｌ１に示すように、格子の１つのセルの形状は菱形となる。この格子の各セルの中心、すなわち菱形の中心に突起４０が配置される。この結果、各突起４０は、８個の毛束３０に取り囲まれるように配置されることになる。すなわち、各突起４０は、毛束３０によって個別に取り囲まれる。
【００２６】
上記のように毛束３０と突起４０が配列されることで、植毛面２０ａの中心に配置された突起４０（１）に着目したとき、その突起４０（１）を起点とする３６０度全周の方向（＝植毛面２０ａにおける３６０度全周の方向）には毛束３０が必ず存在することになる。すなわち、突起４０（１）の植毛面２０ａにおけるいずれの方向にも毛束３０が存在することなる。こうした突起４０は、中心に配置された突起４０（１）だけではなく、少なくとも中央付近に配置された５つの突起４０（１）〜４０（５）は、毛面２０ａにおけるいずれの方向にも毛束３０が存在しない。したがって、これら突起４０（１）〜４０（５）は、植毛面２０ａにおいて、毛束３０によって隙間なく取り囲まれるように配置されることになる。
【００２７】
また、上記のように毛束３０と突起４０が配列されることで、洗髪用ブラシ１０全体では、毛束３０の数は７２本、突起４０の数は２１本となる。この結果、毛束３０の数と突起４０の数との比率は、約３．４：１となる。本考案では、毛束の数は突起の数の３倍以上であることが望ましく、これによれば毛束の機能を十分に発揮することができる。
【００２８】
以上のように構成された第１実施形態の洗髪用ブラシ１０によれば、先端が曲面形状の突起４０が、頭皮および毛根に押しつけられることで、毛穴の中から皮脂を押し出す機能を発揮し、突起４０よりも背丈が高い、複数本の合成繊維フィラメントを束ねた毛束３０が、前記押し出された皮脂を払い除くとともに毛穴の中から皮脂を掻き出す機能を発揮する。その上、複数の突起４０のそれぞれは、毛束３０に取り囲まれるように配置されることから、使用の際に洗髪用ブラシをいずれの方向に移動したとしてもその移動方向による差がなく常に、上記の突起４０による押し出し機能と、毛束３０による皮脂取り除きおよび掻き出し機能とを相乗して発揮させることができる。したがって、毛穴の中の皮脂を十分に取り除くことができ、優れた洗髪効果を奏する。さらに、洗髪用ブラシ１０によれば、突起４０は、横断面形状が円形である構成であることから、突起４０を頭皮に強く押しつけた際に、頭皮に痛感が発生することを緩和することができるという効果も奏する。
【００２９】
Ｂ．第２実施形態：
図６は、本考案の第２実施形態にかかる洗髪用ブラシの底面図である。第２実施形態の洗髪用ブラシ１１０は、第１実施形態の洗髪用ブラシ１０と比べて、毛束と突起の配列位置が異なり、残余の構成は同一である。すなわち、毛束１３０は第１実施形態における毛束３０と同じものであり、突起１４０は第１実施形態における突起４０と同じものであり、これらの配列位置が、第１実施形態に比べて相違する。この実施形態の洗髪用ブラシ１１０では、図６の仮想線Ｌ２に示すように、８個の毛束３０が円環状に配置されており、その円環の中心に突起１４０が配置される。かかる１個の突起１４０と８個の毛束３０の組が、基台１２０の植毛面１２０ａに均等に配置される。したがって、第２実施形態の洗髪用ブラシ１１０によれば、第１実施形態の洗髪用ブラシ１０と同様に、毛穴の中の皮脂を十分に取り除くことができ、優れた洗髪効果を奏する。
【００３０】
Ｃ．第３実施形態：
図７は、本考案の第３実施形態にかかる洗髪用ブラシの底面図である。第３実施形態の洗髪用ブラシ２１０は、第１実施形態の洗髪用ブラシ１０と比べて、植毛面２２０ａの外周回りの構成が相違し、植毛面２２０ａの一点鎖線で囲まれた領域ＷＡの構成を含む残余の構成は同一である。領域ＷＡは、少なくとも中央部を含む領域であり、本実施形態では、植毛面２２０ａにおいて外周回りを除いた領域となっている。領域ＷＡには、第１実施形態と同様に、毛束３０と突起４０を備える。ここで、「外周回り」とは、植毛面２２０ａの外側の縁から内側に入った所定の周囲をいう。換言すると、植毛面２２０ａの外側の縁に対応した所定の周囲ということもできる。なお、第１実施形態と同一の構成要素については、第１実施形態と同一の符合を付し、その説明を省略する。
【００３１】
植毛面２２０ａの外周回りの領域には、領域ＷＡを取り巻くように、突起４０とは背丈（高さ）の相違する突起２４０が配置されている。突起２４０は、領域ＷＡ内に配置されている突起４０と比較して、背丈が相違するだけで、同一の材料から形成され、また形状も背丈以外ほぼ同一である。この突起２４０の背丈、すなわち、植毛面２２０ａからの高さは、１２．５ｍｍであり、毛束３０の背丈（＝１０．８ｍｍ）よりも高い。すなわち、図８に示すように、領域ＷＡに含まれる突起４０の背丈Ｈ２は毛束３０の背丈Ｈ１よりも低く、領域ＷＡの外側の領域（植毛面２２０ａの外周回りの領域）に含まれる突起２４０の背丈Ｈ３は毛束３０の背丈Ｈ１よりも高い。なお、Ｈ３の数値についても、１２．５ｍｍに限る必要はなく、Ｈ３＞Ｈ１の関係を満たせばいずれの数値に替えてもよい。
【００３２】
また、本実施形態では、隣接する突起２４０、２４０間には、毛束３０Ｘが配置されている。この毛束３０Ｘは、領域ＷＡ内に配置される毛束３０と同じものである。なお、この実施形態の変形例として、領域ＷＡの外側の領域に配置された各毛束３０Ｘに替えて、突起２４０を配置する構成としてもよい。すなわち、この構成によれば、領域ＷＡの外側の領域には、毛束３０が配置されることなく、突起２４０だけが配置される構成となる。
【００３３】
以上のように構成された第３実施形態の洗髪用ブラシ２１０では、第１実施形態の洗髪用ブラシ１０と同様に、毛穴の中の皮脂を十分に取り除くことができ、優れた洗髪効果を奏する。さらに、洗髪用ブラシ２１０では、毛束３０よりも背の高い突起２４０が植毛面２２０ａの外周回りの領域に配置され、毛束３０よりも背の低い突起４０が中央付近の領域ＷＡに配置されることから、各突起４０、２４０の先端を繋ぐラインは、頭の湾曲した形状にあったものとなる。したがって、より優れた洗髪効果を奏する。また、毛束３０よりも背の高い突起２４０が植毛面２２０ａの外周回りにあることから、使用の際に、毛束３０が外側にはみ出すことを抑えるこができる。したがって、使用の際の見栄えが損なわれることもない。
【００３４】
なお、この考案は上記各実施形態およびその変形例に限られるものではなく、その要旨を逸脱しない範囲において種々の態様において実施することが可能であり、例えば次のような変形も可能である。
【００３５】
・変形例１
上記各実施形態では、突起の柱部は円錐台形状としたが、これに替えて、円柱形状とすることもできる。
【００３６】
・変形例２
上記各実施形態では、基台の植毛面は平らとなっていたが、これに替えて、頭の形状に合わせて湾曲した構成としてよい。
【００３７】
・変形例３
上記各実施形態では、把持部は基台の真ん中に立設された構成となっているが、これに替えて、基台の横部から、基台２０の植毛面２０ａに平行な方向に延びる棒状の柄のようなものとしてもよい。
【００３８】
本考案は、上述の実施形態や変形例に限られるものではなく、その趣旨を逸脱しない範囲において種々の構成で実現することができる。例えば、考案の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３９】
１０…洗髪用ブラシ
２０…基台
２０ａ…植毛面
２０ｂ…上面
２１…把持部
２２…基台本体
２２ａ…装着開口
２２ｂ…上面
２４…基板
３０…毛束
３２…フィラメント
４０…突起
４０ａ…柱部
４０ｂ…先端部
５０…エラストマー成形体
５２…底盤部
１１０…洗髪用ブラシ
１２０…基台
１２０ａ…植毛面
１３０…毛束
１４０…突起
２４０…突起
【図１】
0003182108.tif 000003
【図２】
0003182108.tif 000004
【図３】
0003182108.tif 000005
【図４】
0003182108.tif 000006
【図５】
0003182108.tif 000007
【図６】
0003182108.tif 000008
【図７】
0003182108.tif 000009
【図８】
0003182108.tif 000010